(57)【要約】  ２つの基材間の糸を切断するための方法であって、糸によって連結された２つ又はそれ以上の基材を、切断装置に向けて移動させることと、切断装置が糸を切断するように、切断装置を糸と接触させることと、特定の糸材料に対して決定される、経時的切断力対標準切断プロファイルにおける任意の偏差を決定するためにセンサを使用することと、を含む、方法。
2016530906.tif 000002
【特許請求の範囲】
【請求項１】
２つの基材間の糸を切断するための方法であって、
糸によって連結された２つ又はそれ以上の基材を、切断装置に向けて移動させることと、
前記切断装置が前記糸を切断するように、前記切断装置を前記糸と接触させることと、
特定の糸材料に対して決定される、経時的切断力対標準切断プロファイルにおける任意の偏差を決定するためにセンサを使用することと、を含む、方法。
【請求項２】
前記切断装置が、毎分約１５０〜約１５００回、前記糸を切断するように構成される、請求項１に記載の方法。
【請求項３】
前記切断装置が、前記糸を切り裂いているときに、アンビルに接触する、請求項１又は２に記載の方法。
【請求項４】
１つ又は２つ以上のセンサが、前記切断装置のブレード、ナイフホルダ、ナイフアンビル、切断力を監視することができる好適な場所、又はこれらの組み合わせに装備される、請求項１〜３のいずれかに記載の方法。
【請求項５】
前記基材がプレジットである、請求項１〜４のいずれかに記載の方法。
【請求項６】
歪ゲージによって算出された前記切断力プロファイルを以前の切断力データと比較することが、糸材料に特有である切断力データのデータベースを使用する、請求項１〜５のいずれかに記載の方法。
【請求項７】
前記切断位置を監視することが、前記ナイフの回転位置を監視することを更に含む、請求項１〜６のいずれかに記載の方法。
【請求項８】
前記方法が、公称基準値レベルを超過する切断力が正規の糸切断偏向の前に発生するときに、不良品に対する基材を作製することを更に含む、請求項１〜７のいずれかに記載の方法。
【請求項９】
前記切断装置が屈曲ナイフである、請求項１〜８のいずれかに記載の方法。
【請求項１０】
前記方法が、真空によって個別コードを移動させることを更に含む、請求項１〜９のいずれかに記載の方法。
【請求項１１】
前記切断装置が、１つ又は２つ以上の真空ポート、及びドラムの外周に沿って等しく離間される複数の切断用具を持つドラムを含む、請求項１〜１０のいずれかに記載の方法。
【発明の詳細な説明】
【技術分野】
【０００１】
本開示は、糸によって接合された基材を分離させるための方法に関する。具体的には、本方法は、歪ゲージを使用して切断場所を確認しながら、基材を接合している糸を切断することによる、基材の分離に関する。
【背景技術】
【０００２】
タンポンには一般に、それを膣腔から引抜くのを容易にするためのコードが取り付けられている。典型的には、製造過程で、連続的な一本のコードが複数のプレジットに縫い付けられており、当該複数のプレジットはコードによって繋がっている。連続的な一本のコードで繋がった複数のプレジットは、コンベア上に間を空けて載置される場合がある。２つのプレジット間のコードの量は、プレジットに縫い付けられていないコードの量を含み得るが、それは、引抜用コードの掴むことが可能な部分の量に当たる。続いてコードが、別の工程でプレジット同士の間で切断されるが、コードの一部分は切断位置の前側にあるプレジットに取り付けられており、コードの一部分は切断位置の後ろ側のプレジットに取り付けられた状態になっている。典型的な工程では、コードをプレジットの長手方向の全長にわたって縫い付けるようになっている。これは、余分な縫い糸とコードを使って、不要な縫い合わせをすることになる。この工程はまた、コンベアがプレジット同士の間に所望の長さのコードを残すようにプレジットを離間配置しなければならないため、効率性を悪化させることにもなる。
【０００３】
典型的な工程では、理想的にはコードの切断はいずれのプレジットをも切断せずに行われる。しかしながら、コードの切断時に１つ以上のプレジットが部分的に切断されてしまうことがしばしば起こる。これにより、製品としての基準に満たないため廃棄される、規定外のプレジットができることになる。
【０００４】
しかしながら、コード取り付けの向上は、プレジットを糸で連結させながら、個別コードが各個々のプレジットに取り付けられることを可能した。
【発明の概要】
【発明が解決しようとする課題】
【０００５】
したがって、製造速度での運転中に、プレジット又はプレジットに取り付けられている個別コードを切断することなく、プレジット間の糸を切断するための方法を提供することが所望され得る。
【課題を解決するための手段】
【０００６】
２つの基材間の糸を切断するための方法であって、糸によって連結された２つ又はそれ以上の基材を、切断装置に向けて移動させることと、切断装置が糸を切断するように、切断装置を糸と接触させることと、特定の糸材料に対して決定される、経時的切断力対標準切断プロファイルにおける任意の偏差を決定するためにセンサを使用することと、を含む、方法。
【０００７】
２つの基材間の糸を切断するための方法であって、糸によって連結された２つ又はそれ以上の基材を、切断装置に向かけて移動させることと、１つ又は２つ以上の真空ポート、及びドラムの外周に沿って等しく離間される複数の切断用具を持つドラムを備えることと、を含む、方法。本方法は、切断装置が糸を切断するように、切断装置を糸と接触させることと、特定の糸材料に対して決定される、経時的切断力対標準切断プロファイルにおける任意の偏差を決定するためにセンサを使用することと、を更に含む。
【図面の簡単な説明】
【０００８】
本明細書は、本発明の主題を詳細に指摘し明確に請求する特許請求の範囲で結ばれるが、本発明は、付属の図面と関連付けて行われる以下の説明から、更に容易に理解することができると考えられる。
【図１】装置の斜視図である。
【図２】装置の斜視図である。
【図３】図２の３−３に沿った切断装置の断面図である。
【図４】図３の切断用具の拡大図である。
【図５】平らに伸ばした、圧縮されていない状態のプレジットを例示した図である。
【図６】２つのサンプルに対する経時的切断力を示すグラフを示す。
【発明を実施するための形態】
【０００９】
以下の諸定義は、本開示を理解するのに有益であろう。
【００１０】
本明細書において、「圧縮された」という用語は、膣内に挿入可能な形状を有する、一般に細長い形状の吸収性部材を得るために、押圧すること、絞り合わせること、又はその他のやり方で、大きさ、形状、及び体積を操作すること、を指す。
【００１１】
本明細書において、「横断方向」（ＣＤ）は、機械方向に平行ではなく、通常は垂直の方向を指す。
【００１２】
本明細書において、「流体の流れ」という用語は、媒体の流れを指す。媒体が採る経路が流体の流路を定義する。
【００１３】
本明細書において、「機械方向」（ＭＤ）は、プロセス全体の、材料の流れの方向を指す。加えて、材料の相対的な定置及び動きは、プロセスの上流からプロセスの下流へと至るプロセスを通して機械方向に流れているとして記載することができる。
【００１４】
本明細書において、「プレジット」及び「タンポンプレジット」という用語は、以下に説明するように圧縮してタンポンに成形される前の、吸収性材料の構造物を指す。プレジットは、山形をしていてもよい。
【００１５】
タンポンプレジットは、タンポン「半加工品」又は「ソフト巻」と呼ばれる場合があり、また、「プレジット」という用語が、そのような用語も含むように意図されている。
【００１６】
本明細書において、「基材」という用語は、任意の３次元形状で、第１面と、第１面に対向する第２面とを作る材料又は複数の材料の組み合わせに関連するものである。基材は、例えば、プレジット、板、シート状のガラス、シート状の材料等のような、シート形状であってよい。基材は、例えば、セルロース系材料、繊維質の材料、金属、ガラス、ケイ酸塩系材料、熱可塑性プラスチック、及び熱硬化性プラスチックが含まれる。基材は、紙、板紙、厚紙、成形セルロースなどのセルロース、又はこれらの任意の組み合わせ、ポリプロピレン、ポリブチレン、ポリスチレン、ポリ塩化ビニル、ポリアクリレート、ポリメタクリレート、ポリアクリロニトリル、ポリアクリルアミド、ポリアミド、ナイロン、ポリイミド、ポリエステル、ポリカーボネート、ポリ乳酸、ポリヒドロキシアルカノエート、エチレンビニルアセテート、ポリウレタン、シリコーン、これらの誘導体、これらのコポリマー、これらの混合物、又は任意のプラスチック材料であり得る。
【００１７】
基材は、非吸収性又は吸収性とすることができ、例えば、天然繊維、合成繊維、又は天然繊維及び合成繊維のブレンドを含む、繊維性不織布材料などの任意の好適な材料を含むことができる。好適な合成繊維としては、例えば、ポリエステル、ポリオレフィン、ナイロン、ポリプロピレン、ポリエチレン、ポリアクリル、酢酸セルロース、ポリヒドロキシアルカノエート、脂肪族エステル重縮合物、バイコンポーネント繊維、及び／又はこれらの混合物を挙げることができる。天然繊維は、例えば、レーヨン、及び非合成であると一般的に既知であるもの、並びに綿等の天然由来のものを含むことができる。繊維は、例えば、円形、三葉、多葉、デルタ、中空、リボン形状、及び／若しくは任意の他の好適な形状、又はこれらの混合物等の、任意の好適な断面形状を有することができる。例えば、約０．５〜約５０マイクロメートル等、例えば、約１〜約３０マイクロメートル等、例えば、約１０〜約２５マイクロメートル等の任意の好適な直径を有する繊維を使用することができる。繊維直径は、任意の好適な手段を使用して測定されてもよいが、しかしながら、非円形繊維については、直径は典型的に、非円形繊維と同じ断面積を備えている繊維の直径を参照して決定することができる。
【００１８】
本明細書において、「タンポン」という用語は、膣腔又はその他の体腔に、そこからの流体を吸収するために挿入される任意のタイプの吸収性部材を指す。典型的には、タンポンは、膣内に挿入可能な形状に圧縮されるか又は形成された一般的に細長い吸収性部材から作られる。
【００１９】
本明細書において、「糸」という用語は、天然又は二次材料の柔軟なより糸、コード、又はフィラメントを指す。
【００２０】
本明細書において、「膣腔」という用語は、ヒトの女性の体の外陰部内の内生殖器を指す。本明細書において、「膣腔」という用語は、膣の入口（膣の括約筋と呼ばれる時もある）と子宮頚部との間に位置する空間を指すように意図され、膣前庭床部を含む陰唇間の空間を含むようには意図されていない。外性器として見える部位については一般に、本明細書において用いられる「膣腔」には含まれない。
【００２１】
本明細書において、「体積」という用語は、繊維の体積及びプレジット内部の隙間空間を指す。体積は、プレジットの長さと幅と厚みを乗算して求められる。
【００２２】
本開示は、２つの基材間の糸を切断するための方法に関する。本方法は、糸によって接続された２つ又はそれ以上の基材を、切断装置に向けて移動させることを含む。個別コードは、各基材に取り付けられてもよい。本方法は、切断力対時間的関係を監視して各切断に対する切断力プロファイルを創出しながら、切断用具を使用して糸を切断することを更に含む。本方法は、算出された切断力プロファイルを以前の切断力データと比較することを更に含む。その後、切断力を利用して、任意の糸を超えた部分が切断されるかを決定し得る。
【００２３】
１つの例示的構成においては、本方法は、真空によって個別コードを移動させることを更に含んでもよい。個別コードを移動させることは、個別コードの一部分を真空ポート中に引き込むことを含み得る。
【００２４】
欠陥のある基材は、糸切断後の廃棄のために印を付けられてもよい。欠陥のある基材は、プロセス中の任意の好適な時点で排出のために電子的に印を付けられてもよい。
【００２５】
切断器具は、例えば、剛性ナイフ、ロータリーナイフ、可撓性ナイフ、裁断機、又はブレード等の、２つの基材間で糸を分断することが可能な切断用具を備える。１つの例示的構成においては、ナイフは、ナイフを、基材路を通るように回転させる回転軸に取り付けられている。例えば、回転式アンビルのような押圧面が、ナイフに対向するように配置されていてよい。ナイフは、圧力面に接触し、切断装置を通過するときに基材間の糸を分断し得る。切断装置は、毎分約１５０〜約１５００回、糸を切断するように構成されてもよい。
【００２６】
切断装置は、複数の等しく離間された切断用具を持つドラムを備えてもよい。非限定的な実施形態において、ドラムは、個別コードを引き込むことが可能な真空ポートを備えてもよい。
【００２７】
切断装置は、１つ又は２つ以上の真空ポートを備えてもよい。真空ポートは、基材への任意の緩んだ付属物も引き込み得る。これが、緩んだ付属物を切断用具から離して移動させる。緩んだ付属物としては、例えば、基材に取り付けられた引抜用コードを挙げることができる。
【００２８】
センサは、経時的切断力を導き出して、各切断に対する切断力プロファイルを創出する。センサは、例えば、歪ゲージであってもよい。歪ゲージは、切断力を算出することが可能な任意の好適な歪ゲージであってもよい。歪ゲージは、半導体歪ゲージ、箔ゲージ、ゴム中水銀式（mercury-in-rubber）歪ゲージ、振動ワイヤ歪ゲージ、又は容量性歪ゲージであってもよい。
【００２９】
歪ゲージは、切断装置のブレード、ナイフホルダ、ナイフアンビル、切断力を監視することができる好適な場所、又はこれらの組み合わせに装備され得る。切断装置は、２つ以上の歪ゲージを備えてもよい。歪ゲージは、ブレード中の偏向を測定し、情報を変換して、切断力プロファイルを決定し得る。切断力プロファイルは、基材の各対間で比較されて、不良品を特定し得る。
【００３０】
非限定的な実施例において、センサはレーザであってもよい。レーザは、切断装置の１つ又は２つ以上の構成要素の偏向を測定して、切断力プロファイルを導き出し得る。
【００３１】
基材を接合している糸は、例えば、アルミニウム、銅、金、銀、鋼、綿、セルロース、レーヨン、例えば、ポリエチレン若しくはポリプロピレン等のポリオレフィン、ナイロン、絹、ポリテトラフルオロエチレン、ワックス、テフロン、又は任意の他の好適な材料を含む、任意の好適な柔軟な材料からなってもよい。
【００３２】
糸は、少なくともプレジットに取り付けられる場所に沿って、非吸収性であってもよい。本明細書において、「非吸収性」という用語は、その構造内に沈着された流体の相当部分を保持しない構造体を指す。所望の場合、糸全体が非吸収性であってもよい。コードの材料は、本質的に非可湿性の若しくは疎水性のものであってよく、又はそのような属性を持つように処理されていてもよい。例えば、吸収性を減少させる又は喪失させるために、ワックスのコーティングがコードに施されていてもよい。糸は、非吸収性の糸であることが望ましいが、必ずしも湿り気を吸い上げないものでなくてもよい。
【００３３】
基材は各々、個別コードを有してもよい。個別コードは、識別できる特徴部分とある長さの普通のコードとが交互になっていてもよい。１本の個別コードは、１つの識別できる特徴部分と、普通（plain）のコードがその１本分以上の長さとからなっていてよい。識別できる特徴部分は、スラブであってよい。スラブは、プレジット上に取り付けられてよい。普通のコードの長さは、プレジットを超えて延びていてもよい。コードの供給物の中のスラブの長さ及び普通のコードの長さは、あらかじめ決められている。コードの供給物は、スラブと、非スラブ部すなわち普通のコードの長さ部分とが交互に現れる１本の連続するコードを含んでいてよい。
【００３４】
個別コードは、任意の好適な長さ、例えば、１０ｍｍ〜２００ｍｍ、２０ｍｍ〜１５０ｍｍ、２０ｍｍ〜１００ｍｍ、２００ｍｍ以下、１５０ｍｍ以下、例えば、９０ｍｍ、８０ｍｍ、７０ｍｍ、６０ｍｍ、５０ｍｍ、４０ｍｍ、３０ｍｍ、２０ｍｍ、１０ｍｍ、９ｍｍ、８ｍｍ、７ｍｍ、６ｍｍ、５ｍｍ、４ｍｍ、３ｍｍ、２ｍｍ、又は１ｍｍ等、１００ｍｍ以下等の任意の好適な長さであってもよい。スラブは、例えば、５０ｍｍ、４５ｍｍ、４０ｍｍ、３５ｍｍ、３０ｍｍ、２５ｍｍ、２０ｍｍ、１５ｍｍ、１０ｍｍ、５ｍｍ、４ｍｍ、３ｍｍ、２ｍｍ、又は１ｍｍ等、例えば１００ｍｍ以下等の任意の好適な長さであってもよい。スラブは、例えば、５０％、４５％、４０％、３５％、３０％、２５％、２０％、１５％、１０％、又は５％等の個別コードの全長のパーセンテージであってもよい。
【００３５】
真空マニホルドは、個別コードを、それがコンベアを下に移動するときに引き離し得る。あるいは、個別コードは、コンベアの流れに沿って走る２つ又はそれ以上の有形体による摩擦によって保持されてもよい。
【００３６】
基材は、プレジットであってよい。プレジットは、レーヨン、綿、又は両材料を組み合わせたものであってよい。これらの材料は、ヒトの体内においての使用の適合性が実証されている。吸収性材料内に用いられるレーヨンは、典型的には、生体内での使用を意図された、使い捨ての吸収性物品に用いられる任意の好適なタイプのものであってよい。このような許容できる種類のレーヨンとしては、Ａｃｏｒｄｉｓ  Ｆｉｂｅｒｓ  Ｌｔｄ．，（Ｈｏｌｌｙｗａｌｌ，Ｅｎｇｌａｎｄ）から６１４０  Ｒａｙｏｎとして入手可能なＧＡＬＡＸＹ  Ｒａｙｏｎ（三葉レーヨン構造体）が挙げられる。また、Ａｃｏｒｄｉｓ  Ｆｉｂｅｒｓ  Ｌｔｄ．から入手できる、サリルＬレーヨン（SARILLE L Rayon）（丸い繊維のレーヨン）もまた好適である。任意の好適な綿材料が、吸収性材料に用いられてよい。好適な綿材料としては、長繊維綿、短繊維綿、綿リンター、Ｔ−繊維綿、カード細片、及びコーマ綿が挙げられる。綿は、グリセリン仕上げ、又はその他の好適な仕上げを施した、洗浄漂白済脱脂綿であってよい。
【００３７】
プレジットは、第１の端部、中央区間部、及び第２の端部を、その長手方向の軸線に沿って有していてよい。第１の端部はまた、引抜用コードが取り付けられていてよい引抜側端部に対応していてよい。第２端部はまた、挿入側端部に対応していてよい。プレジットは、吸収性のある繊維材料からなる吸収層を有していてよい。
【００３８】
プレジットは、任意の好適な形状及び大きさであり、任意の好適な材料からなり、又は膣内に挿入可能な形状を有するタンポンに圧縮されるか又は形成されるための、任意の好適な構造を有していてよい。プレジットは、一般に正方形若しくは長方形、又は台形、三角形、半球形、山形、若しくは砂時計のような他の形状をとってもよい。
【００３９】
プレジットは一体の又は別個の層からなる積層構造体であってよい。吸収性材料は、レーヨン繊維１００％、又は綿繊維１００％であってよい。吸収性材料は、レーヨン繊維と綿繊維とを、任意の好適な混合率で混合したものからなっていてよい。吸収性材料は、約２５％、３０％、又は４０％より多くのレーヨン繊維を含んでいてよく、吸収性材料の残りの部分を、綿繊維を含むものとしてよい。吸収性材料は、約５０％より多くのレーヨン繊維を含んでいてよく、吸収性材料の残りの部分を、綿繊維を含むものとしてよい。吸収性材料は、約６０、７０、７５、８０、又は９０％超のレーヨン繊維、及び綿繊維を含む吸収性材料の残部を含むことができる。一層構成においては、層の各々は、１００％レーヨンの外側層、及び１００％綿の中間層など、本質的に１００％の同一材料を含み得る。スーパープラス吸収型タンポンは、約１００％のレーヨン繊維からなるプレジットから作られていてよい。スーパー吸収型又は通常吸収型タンポンは、約２５％の綿繊維と約７５％のレーヨン繊維とからなるプレジットから作られていてよい。ジュニア吸収型タンポンは、約５０％の綿と約５０％のレーヨン繊維とからなるプレジットから作られていてよい。
【００４０】
プレジットは、レーヨン（三葉型及び従来型のレーヨン繊維を含む）、綿、又は一般にエアフェルトと呼ばれる、細かく粉砕したウッドパルプのような、吸収性物品に広く用いられる、広範な種類の液体を吸収できる材料から製作されていてよい。他の好適な吸収性材料の例としては、クレープセルロースの詰め綿、コフォームを含むメルトブローポリマー、化学的に硬化、修飾、又は架橋されたセルロース繊維、けん縮ポリエステル繊維などの合成繊維、ピートモス、発泡材、ティッシュラップ及びティッシュラミネートを含むティッシュ、又は任意の同等の材料若しくは材料の組み合わせ、あるいはこれらの混合物が挙げられるが、それらに限定されない。
【００４１】
典型的な吸収性材料には、綿、レーヨンを折り畳んだティッシュ、織物材料、不織布、合成及び天然繊維、又は薄布が含まれ得る。プレジット及びその任意の構成要素は、単一の材料からなっていてよく、又は複数の材料を組み合わせたものからなっていてもよい。また、超吸収性ポリマー又は吸収性ゲル、及び開放セル型発泡材料のような超吸収性材料が、タンポンに組み込まれていてもよい。
【００４２】
吸収層用の吸収性繊維材料の例としては、綿、レーヨン、及び合成繊維のような親水性の繊維が挙げられる。不織布又は織布であれ、単一の繊維からなる又は複数の繊維からなる布、好ましくはその重量が、１５０ｇ／ｍ２〜１，５００ｇ／ｍ２であり、かつ厚みが実質的に０．１ｍｍ〜０．９ｍｍである布が、他の吸収性繊維材料の上に重ねられ、その厚みが１．０ｍｍ〜１５ｍｍ、及び好ましくはその厚みが２．０ｍｍ〜１０ｍｍである吸収層を形成し、それが吸収層として使用される。
【００４３】
繊維の織布及び不織布は、合成繊維のシートのようなベース上に、カードウェビング、エアレイイング法、ウェットレイド法等により形成され得る。疎水性の繊維又は親水性の属性を有する疎水性の繊維が、親水性の繊維を有する吸収層に含まれていてよい。加えて、高い吸水性を有するポリマーのような吸水性を有する化合物が、吸収層に含まれていてよい。
【００４４】
液体浸透性を有する表面材料は、メッシュ処理が施された、疎水性の繊維により形成される不織布又はメッシュフィルムからなる。表面材料に用いる不織布のタイプは、特に限定されない。例としては、スパンボンド不織布、スパンレース不織布、及びサーマルボンド不織布が挙げられる。
【００４５】
不織布をなす疎水性の繊維は特に限定されないが、例としては、ポリエステルの繊維、ポリプロピレン、及びポリエチレンが挙げられる。不織布の重量は、８ｇ／ｍ２〜４０ｇ／ｍ２である。
【００４６】
圧縮前、プレジットの典型的な大きさは、長さが約３０又は４０ｍｍ〜約６０、７０、８０、９０又は１００ｍｍで、幅が約４０又は５０ｍｍ〜約７０、７５、８０、８５、又は９０ｍｍであってよい。全体的なベースとなる重量の典型的な範囲としては、約１５０、２００、又は２５０ｇｓｍ〜約６００、８００、１０００又は１１００ｇｓｍであってよい。
【００４７】
１つの非限定的な構成においては、プレジットは、機械方向に、コンベアの流れに沿って、個別コードに係合する縫い付け装置に向かって前進し得る。プレジットは、その第１端部が機械方向に垂直になるように配向されてよい。そのような非限定的な構成においては、個別コードの縫い付け装置は、糸を使用して、１本の個別コードの一部分をプレジットに縫い付けるように構成されていてよい。糸は、プレジットをチェーン中の次のプレジットに連結させることになる。１本の個別コードの縫い付けられる部分は、プレジットの長手方向の軸線に沿って、プレジットの第１端部に縫い付けられてもよい。あるいは、１本の個別コードの縫い付けられる部分は、プレジットの長手方向の軸線に沿って、中央区間に縫い付けられてもよい。１本の個別コードは、プレジットを越えて延在する。個別コードは、例えば１〜２０個の縫い目のような、例えば、２個、３個、４個、５個、６個、７個、８個、９個、又は１０個のような、１個以上の縫い目によって、プレジット上に縫い付けられてよい。
【００４８】
コンベアは、切断装置の切断用具が２つの基材間の糸を切断するように、基材を切断装置に送達し得る。コンベア及び切断装置は、切断用具が基材１つにつき１回基材路を横断して、コンベア上で基材のチェーンから基材を分離させるように構成され得る。基材はその後、ドラム上で回転させられ得る。
【００４９】
センサは、経時的切断力プロファイルを導き出す。データは、所定の標準値と比較される。標準値は、例えば、糸の材料、厚さ、及び弾性等の糸の特性に固有であってもよい。新たな標準値が、切断装置による切断が意図される可能性のある各種の糸に対して作り上げられてもよいことが、当業者によって理解され得る。
【００５０】
コンベア及びインフィードは、個別コードの配置に基づいて、複数のプレジットをそれぞれから離して置くように調整されていてよい。コンベアは、プレジットを縫い付け装置にフィードすることができる。それぞれ１つの個別コードに対して１つのプレジットが与えられるようにするために、個別コードの数と、プレジットの数を合わせるように、コンベアのタイミングが調整されていてよい。
【００５１】
本開示は個別コードをプレジットに繰り出すための装置を論じているが、本明細書において開示される方法及び装置を、個別コードが基材上に取り付けられる任意の形態の基材にコードを繰り出すために用いてもよいということは理解されるべきである。
【００５２】
図１は、装置１００の簡略化したフローチャートを示す。装置１００は、コンベア２００及び切断装置３００を備える。装置は、コンベア２００に対して平行である真空マニホルド４００を任意で備えてもよい。糸５１０によって連結された一連の基材５００は、切断装置３００の前にコンベア上に位置する。切断装置３００は、基材５００の各対の間の糸５１０を切断することによって基材５００を分離させる。切断装置３００は、切断装置３００を定位置に保持する２つの板３１２、３１４の間の回転軸３１０上にあってもよい。回転軸３１０は、駆動機構に連結される。
【００５３】
図２は、装置１００の１つの例示的な構成を示す。装置１００は、コンベア２００、真空マニホルド４００、及びドラム３３０上に等しく離間された切断用具３２０を備える切断装置３００を有する。ドラムは、切断装置３００を定位置に保持する２つの板３１２、３１４の間の回転軸３１０上にある。切断装置３００は、ドラム３３０の内部に真空源を、切断用具３２０の間のドラムの外部上に真空ポート３４０を有する。
【００５４】
図３は、図２の３−３に沿った切断装置３００の断面図を示す。切断装置３００は、切断装置３００に沿って等しく離間された複数の切断用具３２０を有する。切断装置３００はまた、切断装置３００の外部表面に沿って真空ポート３４０を有する。真空ポートは、真空開口部３５０へとドラムの内側に連結する。
【００５５】
図４は、図３の切断用具３２０の拡大図を示す。図４に示されるように、歪ゲージ３６０は、切断用具３２０上に位置してもよい。
【００５６】
図５は、平らに伸ばした、圧縮されていない状態のタンポンプレジット５００を例示的に示す。吸収性材料５１０は、タンポンプレジット５００を形成することができる。タンポンプレジット５００は、挿入端部５２０、引抜端部５３０、第１の長手方向縁部５４０、及び第２の長手方向縁部５５０を備える。タンポンプレジット５００を圧縮することで、圧縮された吸収性部材を形成することができる。プレジット５００は、オーバーラップ５６０及び追加の任意の第２のオーバーラップ５７０を有し得る。
【００５７】
図６は、切断力対時間のグラフ表示を例示する。グラフは、切断される唯一の物品が糸である場合の曲線と、切断用具が糸に加えて基材の一部分又は引抜用コードにも接触する場合の曲線との対比を示す。「切断なし」と表記される線は、切断される唯一の物品が糸である場合を表し、「切断スラブ」と表記される線は、切断用具が糸に加えて基材の一部分又は引抜用コードにも接触する場合を表す。
【００５８】
本明細書に開示した大きさ及び値は、記載された正確な数値に厳密に限定されるものと理解されるべきではない。むしろ、特に指定がない限り、そのような大きさのそれぞれは、記載された値及びその値の周辺の機能的に同等の範囲の両方を意味するものとする。例えば、「４０ｍｍ」と開示された寸法は、「約４０ｍｍ」を意味するものである。
【００５９】
あらゆる相互参照又は関連特許若しくは特許出願を含む、本明細書に引用される文献は全て、明白に除外又は限定されている場合を除いて、本明細書中にその全容を援用するものである。いずれの文献の引用も、こうした文献が本願で開示又は特許請求される任意の発明に対する先行技術であることを容認するものではなく、また、こうした文献が、単独で、あるいは他の任意の参照文献との任意の組み合わせにおいて、こうした発明のいずれかを教示、示唆又は開示していることを容認するものでもない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００６０】
本発明の特定の実施形態が例示されて説明されたが、本発明の趣旨及び範囲から逸脱することなく様々な他の変形及び変更が行われ得ることは当業者にとって明白であろう。したがって、本発明の範囲内に含まれるそのような全ての変更及び修正は、添付の特許請求の範囲にて網羅することを意図したものである。
【図１】
2016530906.tif 000003
【図２】
2016530906.tif 000004
【図３】
2016530906.tif 000005
【図４】
2016530906.tif 000006
【図５】
2016530906.tif 000007
【図６】
2016530906.tif 000008
【国際調査報告】
2016530906.tif 000009
2016530906.tif 000010
2016530906.tif 000011